(57)【特許請求の範囲】
【請求項１】
少なくとも一つの前壁（１５）、一つの後壁（１２）、側壁（１６，１７）及び一つの底壁（１４）により区画されている、箱部分（１１）を備えたシガレットのためのパックであって、
箱部分（１１）内に、内側のブランクに包み込まれかつ直方体の少なくとも一つのシガレットグループが、シガレットブロック（２９）として配置されていて、
パック（１０）が、幅、奥行き及び高さに関して所定の寸法を備え、そして少なくとも一つのシガレットブロック（２９）の少なくとも一つの寸法が、箱部分（１１）の内部空間の対応する寸法よりも小さく、
従って、シガレットブロック（２９）が少なくとも一つの寸法に関して箱部分（１１）の内部空間を塞がず、
箱部分（１１）内にカラー（２６）が配置されていて、
このカラーが、前壁（２７）により少なくとも一部が箱部分（１１）の前壁（１５）に当接し、かつカラー（２６）の前壁（２７）の側方に配置されたカラー（２６）の側壁（２８）により、箱部分（１１）の対応する側壁（１６，１７）に当接していて、
カラー（２６）が、シガレットブロック（２９）と箱部分（１１）の内部空間の少なくとも一つの異なる寸法を補整するのに使用されるパックにおいて、
シガレットブロック（２９）の対応する異なる寸法を、箱部分（１１）の対応する寸法と比較して補整するために、カラー（２６）の前壁（２７）の一部（３４）が箱部分（１１）の対応する前壁（１５）に当接し、カラー（２６）の前壁（２７）の別の一部（３６）が箱部分（１１）の対応する前壁（１５）に対して間隔をおいて配置されていて、シガレットブロック（２９）を支持することと、
カラー（２６）の前壁（２７）が少なくとも二つの折目（３１、３２）により複数の部分（３４、３５、３６）に区切られていて、カラー（２６）の前壁（２７）が折目（３１、３２）の周囲で、カラー（２６）の前壁（２７）の少なくとも一部（３４）が箱部分（１１）の対応する前壁（１５）に配置されていて、カラー（２６）の前壁（２７）の他方の部分（３６）が箱部分（１１）の対応する前壁（１５）に対して間隔をおいて配置されているように折畳められていることと、
カラー（２６）の前壁（２７）の、箱部分（１１）の対応する前壁（１５）の内の少なくとも一つに当接する部分（３４）と、カラー（２６）の前壁（２７）の、箱部分（１１）の対応する前壁（１５）から間隔をおいて設けられた少なくとも一つの部分（３６）とが、カラー（２６）の前壁（２７）の、少なくとも一つの接続部分（３５）としての他の部分により互いに接続されていて、カラー（２６）の部分（３４、３６）が、箱部分（１１）の対応する前壁（１５）の平面に対してほぼ平行に延びるように配置されていて、接続部分（３５）が、箱部分（１１）の対応する前壁（１５）の平面に対してかつ前記部分（３４、３６）に対してある角度をなして、側壁（１６、１７）との間に延びるように配置されていることと、
カラー（２６）の前壁（２７）の接続部分（３５）が、パック（１０）の少なくとも側壁（２８）で保持手段（４３）により保持されていることと、
カラー（２６）の側壁（２８）の領域内に配置されていてかつ各々折目（５０）を中心にカラー（２６）の接続部分（３５）を下側で支持するように折畳み可能である折り畳みフラップ（４８）により、保持手段（４３）が形成されてあることと、
箱部分（１１）の側壁（１６、１７）の内側の側方フラップ（１９）が、対応する折畳みフラップ（５２）を備え、折畳みフラップ（５２）の位置が、側壁（２８）内で折畳みフラップ（４８）と一緒に折畳まれることができるように、側壁（２８）内の折畳みフラップ（４８）の位置と一致し、内側の側方フラップ（１９）内の折畳みフラップ（５２）の領域が、側壁（１６、１７）の外側の側方フラップ（１８）により覆われていることと
を特徴とするシガレット用パック。
【請求項２】
折目（３１、３２）がミシン目により形成されている、請求項１に記載のシガレット用パック。
【請求項３】
カラー（２６）の前壁（２７）の少なくとも二つの部分（３４）が、箱部分（１１）の対応する前壁（１５）に配置されていることを特徴とする請求項１又は２に記載のシガレット用パック。
【請求項４】
カラー（２６）の前壁（２７）の少なくとも二つの部分（３６）が、箱部分（１１）の対応する前壁（１５）に対して間隔をおいて配置されていることを特徴とする請求項１から３のいずれか一項に記載のシガレット用パック。
【請求項５】
カラー（２６）の前壁（２７）の下側（３９）が、箱部分（１１）の底壁（１４）の領域にまで延在しそこでカラー（２６）を底壁（１４）で当接することにより支持することを特徴とする請求項１から４のいずれか一項に記載のシガレット用パック。
【請求項６】
折目（３１，３２）が、箱部分（１１）の対応する前壁（１５）と箱部分（１１）の底壁（１４）の間のパック（１０）のパック縁部に対して平行に向けられて配置されていることを特徴とする請求項１から５のいずれか一項に記載のシガレット用パック。
【請求項７】
カラー（２６）の前壁（２７）が、カラー（２６）の隣接した壁（２８）から、カラー（２６）の上側（４０）に最も近い折目（３１）の下側で、カラー（２６）の下側（３９）まで分離部分（３７）により分離されていることを特徴とする請求項１から６のいずれか一項に記載のシガレット用パック。
【請求項８】
シガレットブロック（２９）の対応する側壁に対して折畳みフラップ（４８）を畳んだ後に、一方の折畳みフラップ（４８）の少なくとも一部が、シガレットブロック（２９）の前側について他方の折畳みフラップ（４８）よりもさらに突出するように、カラー（２６）の両側壁（２８）内の折畳みフラップ（４８）の少なくとも一部が、異なる幅を備えていることを特徴とする請求項１に記載のシガレット用パック。
【発明の詳細な説明】
【技術分野】
【０００１】
請求項１の上位概念によれば、本発明は、少なくとも一つの前壁、一つの後壁、側壁及び一つの底壁により区画されている、箱部分を備えたシガレットのためのパックであって、箱部分内に、内側のブランクに包み込まれかつ好ましくは直方体の少なくとも一つのシガレットグループが、シガレットブロックとして配置されており、パックが、幅、奥行き及び高さに関して所定の寸法を備えており、そして少なくとも一つのシガレットブロックの少なくとも一つの寸法が、箱部分の内部空間の対応する寸法よりも小さく、従って、シガレットブロックが少なくとも一つの寸法に関して箱部分の内部空間を塞がず、箱部分内にカラーが配置されており、
このカラーが、前壁により少なくとも一部が箱部分の前壁に当接しており、かつカラーの前壁の側方に配置されたカラーの側壁により、箱部分の対応する側壁に当接しており、箱部分が、シガレットブロックと箱部分の内部空間の少なくとも一つの異なる寸法を補整するのに使用されるパックに関する。
【背景技術】
【０００２】
実際には、様々な理由から、シガレットのためのパックの大きさ或いはパックの寸法が、例えば法的な、税務上のあるいは技術的理由から予め定められていてもよい。しかしパックを安く製造するためには、梱包機械の費用のかさむ改造が必要とされることなく、異なる市場で相当する規制に柔軟に応えることができるように、一定の（外側の）寸法の場合のパックが異なる中身で充填されることができることが望ましい。特に、寸法の小さい、少数のシガレット或いはシガレットブロックを従来のパックに収容することが興味深い。
【発明の概要】
【発明が解決しようとする課題】
【０００３】
この背景に対して、本発明の根底を成す課題は、特に好ましくは規格化されたパックに異なるパックの中身をできるだけ有利に収容することに関する、並びに従来の包装機械を使用したできるだけ容易な生産性に関する、シガレットのためのパックを開発することである。
【課題を解決するための手段】
【０００４】
この課題を解決するためのパックは請求項１の特徴を備えている。
【０００５】
それによれば、シガレットブロックの対応する異なる寸法を、箱部分の対応する寸法と比較して補整するために、カラーの壁の一部が、箱部分の対応する壁に当接しており、前記カラーの前記壁の一部が、箱部分の対応する壁に対して間隔をおいて配置されておりかつシガレットブロックを支持することが行われる。
【０００６】
このようにして、箱部分の内部空間は、シガレットブロックの一つ或いは複数の寸法に関して、特にシガレットブロックの小さい幅或いは奥行に関して削減されることができる。この一つのあるいは全ての小さい寸法に合わせるためにカラーだけは合わせられる必要があるので、包装機械を改造するためのそれ程大したことはない。加えて、シガレットグループを箱部分内に確実に位置決めするために、付加的なブランク或いは別の補助手段は必要とされない。
【０００７】
本願の範囲において、カラーの壁と箱部分の対応する壁が引合いに出されることに対して、これはカラー或いは箱部分の壁を指しており、これらの壁は各々パックの同じ側に配置されているカラーと箱部分の壁に、すなわちカラーの前壁及び箱部分の前壁あるいはカラーの側壁及びパックの各同じ側の箱部分の側壁に配置されている。
【０００８】
本発明の好ましい形態によれば、カラーの壁が少なくとも二つの折目により複数の部分に区切られており、カラーの壁が折目の周囲で、カラーの壁の少なくとも一部が箱部分の対応する壁に配置されており、カラーの壁の他方の部分が箱部分の対応する壁に対して間隔をおいて配置されているように折畳められていることが行われており、折目はミシン目により形成されているのが好ましい。
【０００９】
本発明の好ましい実施形態によれば、カラーの壁の、箱部分の対応する壁の内の少なくとも一つに当接する部分と、カラーの壁の、箱部分の対応する壁の内の少なくとも一つから間隔をおいて設けられた部分とが、カラーの壁の、少なくとも一つの他の部分により接続部分として互いに接続されていることが実現されており、最初に挙げた部分は箱部分の対応する壁の平面に対してほぼ平行に延びるように配置されており、接続部分は箱部分の対応する壁の平面に対してかつ最初に挙げた部分に対して直角に、特に横方向に延びるように配置されている。
【００１０】
他の特別な特徴は、箱部分の壁の接続部分がその位置でパックの少なくとも一つの他方の壁部分の保持手段により保持されていることにある。接続部分が少なくとも一つの側方端部の領域において、カラーの少なくとも一つ壁に、特に側壁に配置された少なくとも一つの保持手段に形状一体的に係合することにより保持されていることが実現されているのが好ましい。
【００１１】
例えば、少なくとも一つの保持手段が、カラーの少なくとも一つの壁の領域内に配置された突出部および／または凹部により、特に少なくとも一部がスタンピングおよび／またはパンチングにより形成された突出部および／または凹部として形成されていることが実現されていてもよい。
【００１２】
同様にして、接続部分に配置された突出部が、パンチングにより形成された折畳みフラップを、カラーの隣接した壁に沿って箱部分に形成された凹部或いはくぼみ内に押圧し、凹部は好ましくは箱部分の二層の壁の領域内に、すなわち内側の側方フラップの領域内に配置されていることが実現されていてもよい。
【００１３】
本発明の変形によれば、カラーの壁の少なくとも二つの部分が箱部分の対応する壁に配置されていることが実現されていてもよい。
【００１４】
代替え的に或いは付加的に、カラーの壁の少なくとも二つの部分が、箱部分の対応する壁に対して間隔をおいて配置されていることが実現されていてもよい。
【００１５】
他の特別な特徴は、カラーの壁の下側が、箱部分の底壁の領域にまで延びておりかつそこでカラーを底壁で当接することにより支持することにある。
【００１６】
折目は箱部分の対応する壁と箱部分の底壁の間の移行部のパックのパック縁部に対して平行に向けられて配置されていることが実現されているのが好ましい。
【００１７】
有利な項目は、カラーの壁が、カラーの隣接した壁から、カラーの上側に最も近い折目の下側で、カラーの下側まで、分離部分により分離されていることにあってもよい。
【００１８】
本発明の他の変形は、保持手段が折畳みフラップにより形成されており、これらの折畳みフラップが、カラーの側壁の領域内に配置されておりかつ各々折目を中心にして、カラーの接続部分を下側で支持するように折畳み可能であることを特徴とする。
【００１９】
さらに、箱部分の側壁の内側の側方フラップが対応する折畳みフラップを備えており、側壁内で折畳みフラップと一緒に折畳まれるように、その位置が側壁内の折畳みフラップの位置と一致しており、内側の側方フラップ内の折畳みフラップの領域は、箱部分の側壁の外側の側方フラップにより覆われることが実現されていてもよい。
【００２０】
基本的に、変形全てにおいて、シガレットグループの上側の領域における内側のブランクの精確な折畳みを保証するために、各シガレットは奥行きよりも広い幅を有することが考慮されるべきである。
【００２１】
本発明の好ましい実施例は、以下に図に基づき説明される。
【図面の簡単な説明】
【００２２】
【図１】開いた蓋を備えたシガレットのためのパックの第一の実施例を立体図で示す。
【図２】図１によるパックの中身とパックのカラーを立体図で示す。
【図３】図２によるカラーを独立した図で示す。
【図４】図２および３によるカラーのためのブランクを示す。
【図５】図２〜４によるカラー（Ｋｒａｇｅｎ）の詳細を拡大図で示す。
【図６】開いた蓋を備えたシガレットのためのパックの第二の実施例を立体図で示す。
【図７】図６によるパックの中身とパックのカラーを立体図で示す。
【図８】開いた蓋を備えたシガレットのためのパックの第三の実施例を立体図で示す。
【図９】図８によるパックの中身とパックのカラーを立体図で示す。
【図１０】図９によるカラーの詳細を独立した図で示す。
【図１１】図９と１０によるカラーの詳細を拡大図で示す。
【図１２】図９と１０によるカラーのためのブランクを示す。
【図１３】図８の切断線ＸＩＩＩ-ＸＩＩＩに沿ったパックの断面図を示す。
【図１４】開いた蓋を備えたシガレットのためのパックの第四の実施例を立体図で示す。
【図１５】図１４によるパックの中身とパックのカラーを立体図で示す。
【図１６】図１５によるカラーを独立した図で示す。
【図１７】図１５と１６によるカラーのためのブランクを示す。
【図１８】図１５による領域ＸＶＩＩＩの周囲のカラーの詳細を拡大図で示す。
【図１９】パックのためのブランクを示す。
【図２０】図１４〜１８によるカラーとシガレットブロックを備えた一部が折畳まれたパックを立体図で示す。
【図２１】第五の実施例の変形のためのカラーを示す。
【図２２】図２１によるパックの中身とカラーを立体図で示す。
【図２３】第五の実施例の変形のためのカラーを示す。
【図２４】図２３によるパックの中身とカラーを立体図で示す。
【図２５】第五の実施例の変形のためのカラーを示す。
【図２６】図２５によるパックの中身とカラーを立体図で示す。
【発明を実施するための形態】
【００２３】
本発明を以下に様々な実施例において記述し、本発明は、各々シガレットのためのフラップボックス（ヒンジ蓋式パック）のタイプのパック１０に関する。本発明がシガレットのためのパックの別のタイプに関することは明確に指し示される。
【００２４】
図に示されたパック１０は、箱部分１１と箱部分１１の後壁１２の領域で旋回可能に取付けられた蓋１３から成る。さらに箱部分１１は、（下側の）底壁１４と、後壁１２に向き合っている（直立した）前壁１５とから成る。側壁１６，１７を接続する後壁１２と前壁１５は一緒に、互いに覆い隠す内側及び外側の側壁１８，１９から形成されている。同様に蓋１３は、前壁２０、後壁２１，端部壁３０及び側壁２２，２３から成る。同様に蓋１３の側壁２２，２３は、互いに覆い隠す内側及び外側の側方フラップ２４，２５により形成されている。
【００２５】
パック１０の他の構成要素は、各々異なる構成のカラー２６である。しかしカラー２６の基本要素は、いつも箱部分１１の前壁１５に当接しておりかつ場合によっては前記前壁と接着剤接合により接続されている前壁２７である。さらに側壁２８はカラー２６の一部であり、この側壁は箱部分１１の側壁１６，１７に沿って延びている。箱部分１１から突出しているカラー２６の上側の領域は、蓋１３によりパック１０の閉鎖位置で取囲まれる。
【００２６】
このようにして形成された、薄いボール紙から成る直方体のパック１０は、シガレットを収容するのに或いは別の棒状の品物を収容するのに特に適している。シガレットはシガレットグループとして整列されかつ例えばアルミ箔から成る内側のブランクにより取囲まれる。従ってシガレットブロック２９が形成される。示された実施例において、シガレットグループもしくはシガレットブロック２９は、長方形の横断面でもってほぼ直方体に形成されている。
【００２７】
特別な特徴は、シガレットブロック２９の寸法に関してある。すなわち寸法（幅、高さ、奥行）の少なくとも一部は、箱部分１１或いはパック１０の内部空間の寸法には合致せず、従って対策無しで空洞が生じるか或いはシガレットブロック２９が確実にあるいは適切に箱部分１１内に保持されるだろう。相応するように、シガレットブロック２９の少なくとも一つの寸法は、箱部分１１或いはパック１０の内部空間の対応する寸法よりも小さい。
【００２８】
この出願の範囲において、（一方ではシガレットブロック２９の、他方では箱部分１１あるいはパック１０の内部空間の）複数の寸法が異なっている場合には、これは、寸法誤差及び製造誤差として或いはシガレットの簡単な取出しの目的のために一般にある普通の誤差ではなく、この尺度を超える誤差に関する。
【００２９】
もっと正確に言うと、本発明は測定での誤差に関し、これらの誤差は、パック１０の内部で一つ或いは複数のシガレットブロック２９が収容部を与えられ、これらのシガレットブロックが、シガレットの数および／または寸法に基づいて、このようなパック１０の場合に普通よりも小さいパックの少ない中身を有することにより生じるので、重要な違いは寸法にあり、これらの寸法は、シガレットブロック２９をずれた寸法にもかかわらず確実にパック１０内へ収容するために、適切な方法で補整される必要がある。
【００３０】
図１〜４による第一の実施例において、箱部分１１の奥行きを縮小するために、カラー２６の前壁２７が二つの折目３１，３２に沿って折畳まれている。その際に、折目３１，３２は、カラー２６の仮想の縦方向軸線３３に対して横方向に延びている。
【００３１】
折目３１，３２は前壁２７を三つの部分に、すなわち上側の部分３４、中間の接続部分３５及び下側の部分３６に分割する。三つの部分は、上側の部分３４が内側で箱部分１１の前壁１５に当接するように折目３１，３２を中心にして折畳まれるが、それに反して、下側の部分３６は上側の部分３６に対して平行に配置されているが、箱部分１１の前壁１５に対しては間隔をおいて配置されており、この間隔は中間の接続部分３５の対応する寸法により生じる。
それによれば、カラー２６の前壁２７はＺ字状に折目３１，３２を中心に折畳まれる。中間の部分３５は両部分３４，３６に対して横方向に向けられている。折目３１，３２はミシン目として形成されているのが好ましい。
【００３２】
カラー２６が当然二つより多くの折目３１，３２を備えていてもよいことは自明であり、従ってカラー２６の前壁２７の別の折畳み部が生じる。例えば、各々互いに間隔をおいて設けられた複数の部分３４が、箱部分１１の前壁１５の内側に当接しており、および／または各々互いに間隔をおいて設けられた複数の部分３６が、箱部分１１の前壁１５に対して間隔をおいて配置されていることも考えられる。
【００３３】
さらに、カラー２６の前壁２７を示された方法で折畳みできるように、分離カット３７が前壁２７と両側壁２８の間に設けられている。分離カット３７は、前壁２７と両側壁２８の間の折目３８に沿って、各々第一の折目３１からカラー７２６の下側３９まで延びている。カラー２６の上側４０の領域において、シガレットをパック１０から簡単に取出せるように、普通の凹部４１が形成されている。凹部４１の両側にはいわゆる蓋ブレーキ部（Ｄｅｃｋｅｌｂｒｅｍｓｅｎ）４２が配置されている。
【００３４】
他の特別な特徴は、カラー２６の前壁２７Ｚ字状折畳みを確実に行うための方法に関する。この目的で、カラー２６の一方の或いは両方の側壁２８の領域には保持手段４３が配置されている。図５に示されているように、保持手段４３は、打抜き及びエンボス加工により形成されたビード（Ｓｉｃｋｅ）であり、このビードはカラー２６の側壁２８の内側に配置されておりかつ箱部分１１の内部空間に向かって突出している。その際に、自由な縁部４４により、保持手段４３は中間の接続部分３５の下側を下側で支持している。
【００３５】
代替え的解決手段は図３と４に示されている。カラー２６の右側半分は、保持手段４３を備えた上記の変形を示しているが、それに反してカラー２６の左側半分は、折目３１，３２が側壁２８の領域内でも延びている変形を示す。この解決手段は、カラー２６が全部Ｚ字状に折畳まれ、従ってパックの中身の上に置かれるという長所を有する。その際に、パックの中身に対してカラー２６の側壁２８を引続いておく場合、カラー２６の側壁２８は、図３に示されているように開く。
【００３６】
保持手段４３の構造に関して異なる変形が考えられることは自明である。前述のビードの代わりに、他の機構も使用されることができる。保持手段４３がカラー２６の他の壁部に係合するか或いは箱部分１１の他の壁部に配置されていることも考えられる。
【００３７】
シガレットブロック４９は、好ましくは付加的に箱部分１１内のその適所に、例えば箱部分１１の後壁１２と接着剤接合することにより又は箱部分１１あるいはカラー２６の側壁２８と接着剤接合することにより又はカラー２６の下側の部分３６と接着剤接合することにより固定される。
【００３８】
図６及び７に示された第二の実施例の特別な特徴はカラー２６の下側３９が、箱部分１１の底壁１４まで延びていることにある。この方法で、カラー２６は底壁１４に支持されている。
付加的保持手段４３無しで済ますことはできる。その理由は、カラー２６のＺ字状の折畳み部が保持されたままであることにある。
【００３９】
その他の点で、図６及び７による第二の実施例は図１〜４による第二の実施例に相当する。
【００４０】
図８〜１３による第三の実施例の特別な特徴は、保持手段４３の特別な構造にある。一方では、カラー２６の両側壁２８には、各々折畳み式フラップ４５が設けられている。この折畳み式フラップはパンチング部分により側壁２８の材料に形成されている。他方では、中間の接続部分３５は側方に鼻状部分４６を備えており、この鼻状部分は折目３８を介して即位壁２８と前壁２７の間に突出している。
【００４１】
前壁２７のＺ字状折畳み部において、鼻状部分４６は折り畳みフラップ４５を外側に向かって押圧し、従ってこの鼻状部分は、箱部分１１の側壁１６の領域内の凹部４７内に係合する。
この場合、凹部４７は内側の側方フラップ１９に形成されている。
【００４２】
その他の点で、図８〜１３による第三の実施例は図１〜４による実施例に相当する。
【００４３】
同様にして、図１４〜２０による第四の実施例の特別な特徴は、保持手段４３の特殊な構造にある。
【００４４】
保持手段４３は折畳みフラップ４８により形成されており、これらの折畳みフラップはカラー２６の側壁２８内に形成されている。
【００４５】
折畳みフラップ４８は、一方では分離カット３７により区画され、そして他方では、折目３１の延長部において、カラー２６の側壁２８内に延びる他の分離カット４９により区画されており、そして更に、分離カット４９の側方の自由端から出発して、カラー２６の下側３９の方向で分離カット３７に対して平行に延びている折目５０により区画されている。相応するようにして、折畳みフラップ４８は、各々分離カット３７，４９および折目５０により区画されかつ分離カット３７，４９および折目５０の輪郭に相応して長方形である。分離カット３７，４９および／または折目５０の別の輪郭においては、折目４８の別の形状も考えられるのは自明である。
【００４６】
折畳みフラップ４８は、各々折目５０を中心にして、箱部分１１の内部に向かって或いはカラーの下側の部分３６に向かって旋回され、従って分離カット４９により形成されている折畳みフラップ４８の自由縁部は、中間の接続部分３５の下側で線状に当接しかつこの接続部分を支持する。このようにして、別の実施例にあるように、カラー２６のＺ字状の折畳み部が、カラー２６の材料の復元力がなくなることは回避されることができる。
【００４７】
折畳みフラップ４８の折畳みは、図２０に概略的に示されるように、これらの折畳みフラップを下側の部分３６に向かって或いは下側の部分３６の方向に折畳むために、好ましくはカラーをシガレットブロック２９に置いた後に、例えば折畳みフラップ４８に対して側方に動かされる折畳み機構により行われる。
【００４８】
この折畳み工程は、置かれたカラー２６を備えたシガレットブロック２９が、すでにパック１０のための一部が折畳まれたブランク５１の中に、例えば（図示されていない）折畳みリボルバーのポケット内にある場合に実施されることもある。
【００４９】
図２０による中間の折畳み工程において、箱部分１１の側壁１６，１７の内側の側方フラップ１９は、すでにパックの中身に向かって折畳まれているか或いは起こされている。この中間の折畳み位置において、カラー２６の折畳みフラップ４８を折畳むために、側壁１６，１７の内側の側方フラップ１９において、対応する折畳みフラップ５２は、折畳みフラップ４８と一緒に折畳まれる分離カット５３と折目５４により形成されている。その際に、それに応じて内側の側方フラップ１９内に生じる凹部は、側壁１６，１７の外側の側方フラップ１８によってより早く覆い隠される。折畳みフラップ４８も折畳みフラップ５２も、上側縁部でもって中間の接続部２３の下側に当接しかつこの中間の接続部を支持する。
【００５０】
その他の点で、ブランク５１はヒンジ蓋式パック１０のための通常のブランクのように組立てられている。すでに記載された壁部に加えて、図１９は折畳みフラップ５５，５６，５７も示しており、これらの折畳みフラップは、折畳まれたパック１０においては、箱部分１１の底壁１４の内側或いは蓋１３の端部壁３０に当接する。
【００５１】
シガレットブロック２９とカラー２６がブランク５１と一緒に集められる前に、折畳みフラップ４８が折畳まれる場合に或いは内側の側方フラップ１８が起こされる前に、折畳みフラップ４９の折畳みが行われる場合に、側方フラップ１８の中に折畳みフラップ５２は無くてもよいことは自明である。さらに、折畳みフラップ５２の位置に応じた凹部を内側の側方フラップ１８内に設けることも考えられる。
【００５２】
カラー２６或いは下側の接続部分３６の長さは、第二の実施例のように、カラー２６の下側３９が底壁１４上に当接するように採寸されていてもよい。
【００５３】
その他の点で、図１４〜１７による第四の実施例は図１〜４の第一の実施例に相当する。
【００５４】
第四の実施例の変形は、図２１と２２に示されている。この変形は、両折畳みフラップ４８の一方、すなわち図２１による右の折畳みフラップ４８が、図２１による描写においては、少なくともその一部がもう一方の折畳みフラップ４８よりも広い幅を備えていることにより、第四の実施例とは異なる。
【００５５】
この場合、中間の部分３５の高さにある上側の部分において、右の折畳みフラップ４８は左の折畳みフラップ４８と同じ幅を備えている。その下で、分離カット３７は、右の折畳みフラップ４８がその上にある部分よりも広い幅を備えるように構成されている。下側の部分での右の折畳みフラップ４８の幅は、左の折畳みフラップ４８の幅よりも広い。
【００５６】
代替的に、右の折畳みフラップ４８がひっくるめて（始めから終わりまであるいは全体の高さにわたり）、左の折畳みフラップ４８よりも広い幅を備えていることも考えられるのは当然である。
【００５７】
折畳みフラップ４８の異なる幅は、折畳みフラップ４８折畳む場合に有利である。カラー２６の側壁２８が、シガレットブロック２９の対応する側壁に対して折畳まれた後で、より広い幅を備えた折畳みフラップ４８は、シガレットブロック２９を超えて上方へ突出し、それにより折畳み機構、例えば折畳み点（Ｆａｌｔｗｅｉｃｈｅ）により独立して捕捉されかつ折畳まれる。
【００５８】
この変形においても、折畳みフラップ４８は、折畳みフラップ５２と一緒に側壁１９内に折畳まれることができる。
【００５９】
一方では図２３と２４による、他方では図２５と２６による他の変形が、図２１と２２によるカラーを、一方では丸い縁部を備え、他方では八角形の縁部を備えたパック１０のための変形で示す。カラー２６は、前壁２７から側壁２８までの移行部における対応する折目５８により構成されておりかつパック１０の対応するパック縁部の輪郭に適合されている。さらに図２５と２６による変形において、分離カット３７は分離カット４９までの移行部においてはパック１０の八角形の縁部に応じて輪郭を与えられている。
【００６０】
全ての示された実施例では、シガレットブロック２９が各々箱部分１１の内部空間の対応する寸法の内の一つの寸法においてだけ、すなわち幅あるいは奥行のどちらかにおいてだけずれることが示された実施例すべてに共通している。シガレットブロック２９の高さに関しては、どの場合でもいかなる特別な特徴も与えられていない。
【００６１】
しかし、シガレットブロック２９の寸法が、箱部分１１の内部空間の対応する寸法の一つ以上の寸法あるいは方向においてずれることは当然である。場合によれば、異なる寸法を補整にする個々の手段の幾つかは互いに組合されることができる。
【００６２】
さらに、上側の領域での内側のブランクの折畳みを正確に実施できるように、シガレットブロック２９はできるだけ奥行よりも広い幅を有するべきであることが指摘されている。
【００６３】
パックの中身は、基本的に普通の寸法を備えたシガレットであるか或いはしかし普通のシガレットよりも直径が小さいシガレット、すなわちスリムシガレット又はスーパースリムシガレットでもよい。
【符号の説明】
【００６４】
１０  パック
１１  箱部分
１２  後壁（箱部分）
１３  蓋
１４  底壁（箱部分）
１５  前壁（箱部分）
１６  側壁（箱部分）
１７  側壁（箱部分）
１８  側方フラップ（側壁）
１９  側方フラップ（側壁）
２０  前壁（蓋）
２１  後壁（蓋）
２２  側壁（蓋）
２３  側壁（蓋）
２４  側方フラップ（側壁）
２５  側方フラップ（側壁）
２６  カラー
２７  前壁（カラー）
２８  側壁（カラー）
２９  シガレットブロック
３０  端部壁（蓋）
３１  折目
３２  折目
３３  縦方向軸線
３４  部分
３５  接続部分
３６  部分
３７  分離カット
３８  折目
３９  下側（カラー）
４０  上側（カラー）
４１  凹部
４２  蓋ブレーキ部
４３  保持手段
４４  縁部
４５  折畳みフラップ
４６  鼻状部分
４７  凹部
４８  折畳みフラップ
４９  分離カット
５０  折目
５１  ブランク
５２  折畳みフラップ
５３  分離カット
５４  折目
５５  折畳みフラップ
５６  折畳みフラップ
５７  折畳みフラップ
５８  折目
【図１】
0006723244.tif 000002
【図２】
0006723244.tif 000003
【図３】
0006723244.tif 000004
【図４】
0006723244.tif 000005
【図５】
0006723244.tif 000006
【図６】
0006723244.tif 000007
【図７】
0006723244.tif 000008
【図８】
0006723244.tif 000009
【図９】
0006723244.tif 000010
【図１０】
0006723244.tif 000011
【図１１】
0006723244.tif 000012
【図１２】
0006723244.tif 000013
【図１３】
0006723244.tif 000014
【図１４】
0006723244.tif 000015
【図１５】
0006723244.tif 000016
【図１６】
0006723244.tif 000017
【図１７】
0006723244.tif 000018
【図１８】
0006723244.tif 000019
【図１９】
0006723244.tif 000020
【図２０】
0006723244.tif 000021
【図２１】
0006723244.tif 000022
【図２２】
0006723244.tif 000023
【図２３】
0006723244.tif 000024
【図２４】
0006723244.tif 000025
【図２５】
0006723244.tif 000026
【図２６】
0006723244.tif 000027